(57)【要約】【課題】摩耗や揺動を抑制可能なツース及び掘削具を提供する。【解決手段】ツース３０は、第１方向に延びるツース本体３１と、ツース本体３１の背面３１Ｓ5に形成される挿入孔３２と、挿入孔３２の底面に形成されるサインポケット３３と、を備える。ツース本体３１は、第１支持部１０１及び第２支持部１０２を有する。第１支持部１０１及び第２支持部１０２は、サインポケット３３を挟むように配置される。第１支持部１０１及び第２支持部１０２は、挿入孔３２の底面を形成する。【選択図】図６
2014118760.tif 000002
【特許請求の範囲】
【請求項１】
アダプタに取り付けられる掘削ツースであって、
第１方向に延びるツース本体と、
前記ツース本体の外表面に形成され、前記アダプタを挿入するための第１孔と、
前記第１孔の底面に形成される第２孔と、
を備え、
前記ツース本体は、前記第２孔を挟んで配置され、前記第１孔の前記底面を形成する一対の支持部を有する、
掘削ツース。
【請求項２】
前記第１方向と直交する第２方向に沿って前記ツース本体を貫通し、前記第１孔に繋がる一対の軸孔を備え、
前記一対の軸孔の中心を通り前記第１方向及び前記第２方向に平行な断面において、前記一対の軸孔間の中央に位置する基準点と前記第２孔の最深部との間隔は、前記基準点と前記第１孔の最深部との間隔よりも大きい、
請求項１に記載の掘削ツース。
【請求項３】
前記第１孔は、前記一対の支持部の両側に形成され、前記第１方向に延在する一対の延在孔を有する、
請求項１又は２に記載の掘削ツース。
【請求項４】
前記ツース本体は、前記外表面から突出する凸部を有する、
請求項１乃至３のいずれかに記載の掘削ツース。
【請求項５】
掘削具本体と、
第１方向に延びるツース本体と、前記ツース本体の外表面に形成される第１孔と、前記第１孔の底面に形成される第２孔と、を有するツースと、
前記掘削具本体に固定される固定部と、前記第１孔に挿入される挿入部と、を有するアダプタと、
を備え、
前記ツース本体は、前記第２孔を挟むように配置される一対の支持部を含み、
前記一対の支持部は、前記挿入部の先端と対向する、
掘削具。
【請求項６】
前記ツースは、前記第１方向と直交する第２方向に沿って前記ツース本体を貫通し、前記第１孔に繋がる一対の軸孔を有し、
前記一対の軸孔の中心を通り前記第１方向及び前記第２方向に平行な断面において、前記第２方向における前記挿入部と前記一対の支持部との間隔は、前記第２方向における前記一対の軸孔の中心と前記一対の支持部との間隔の５％以下である、
請求項５に記載の掘削具。
【請求項７】
前記ツース本体は、前記外表面から突出する凸部を含み、
前記固定部は、前記凸部が嵌合される凹部を含む、
請求項５又は６に記載の掘削具。
【発明の詳細な説明】
【技術分野】
【０００１】
本発明は、作業機械に用いられる掘削ツース及び掘削具に関する。
【背景技術】
【０００２】
油圧ショベルなどの作業機械は、一般的にバケットやリッパなどの掘削具を備えている。掘削具の先端には、アダプタが固定されている。切刃である掘削ツースは挿入孔を備え、その挿入孔にアダプタを挿入することにより掘削具に取り付けられる。アダプタは先端部から離れた部位の外面において、挿入孔の内面に当接される（例えば、特許文献１参照）。掘削ツースは、掘削作業への使用に伴ってその外面・内面が摩耗により消耗するため、適宜交換される。
【先行技術文献】
【特許文献】
【０００３】
【特許文献１】特開２０１１−２４６９７４号公報
【発明の概要】
【発明が解決しようとする課題】
【０００４】
掘削作業において、アダプタと掘削ツースの当接面に高い応力が負荷される。また、掘削ツースは応力の向きに応じ、アダプタに対しわずかに搖動する。更に、アダプタと掘削ツースの嵌合部には外部から土砂等が侵入する。これらのため、掘削ツースとアダプタの当接面は摩耗する。アダプタ及び掘削ツースの当接面が摩耗すれば、掘削ツースがアダプタに対し更に揺動しやすくなる。搖動が大きくなれば、摩耗は更に促進される。このような悪循環により、製品寿命が損なわれる。
【０００５】
本発明は、上述の状況に鑑みてなされたものであり、摩耗や揺動を抑制可能な掘削ツース及び掘削具を提供することを目的とする。
【課題を解決するための手段】
【０００６】
本発明の第１側面に係る掘削ツースは、アダプタに取り付けられる掘削ツースであって、ツース本体と、第１孔と、第２孔と、を備える。ツース本体は、第１方向に延びる。第１孔は、ツース本体の外表面に形成される。第２孔は、第１孔の底面に形成される。ツース本体は、第２孔を挟んで配置され、第１孔の底面を形成する一対の支持部を有する。
【０００７】
本発明の第１側面に係る掘削ツースによれば、第２孔において、アダプタと掘削ツースとの隙間から侵入した土砂を収容することによって、侵入した土砂によってアダプタやツースの当接面が摩耗することを抑制できる。また、第１孔の内壁だけでなく一対の支持部においてアダプタに支持され得るため、掘削ツースがアダプタに対して揺動することを抑制できる。
【０００８】
本発明の第２側面に係る掘削ツースは、第１側面に係り、一対の軸孔を備える。一対の軸孔は、第１方向と直交する第２方向に沿ってツース本体を貫通し、第１孔に繋がる。一対の軸孔の中心を通り第１方向及び第２方向に平行な断面において、一対の軸孔間の中央に位置する基準点と第２孔の最深部との間隔は、基準点と第１孔の最深部との間隔よりも大きい。
【０００９】
本発明の第２側面に係る掘削ツースによれば、挿入部が摩耗されるまでに余裕を持って、第２孔を露出させることができる。そのため、掘削ツースの交換時期を早期にオペレータに認識させることができる。
【００１０】
本発明の第３側面に係る掘削ツースは、第１又は第２の側面に係り、第１孔は、一対の支持部の両側に形成され、第１方向に延在する一対の延在孔を有する。
【００１１】
本発明の第３側面に係る掘削ツースによれば、アダプタの角部分が挿入孔の内壁に当たることを抑制できるので、アダプタ及び掘削ツースが当接して損傷することを抑制できる。
【００１２】
本発明の第４側面に係る掘削ツースは、第１乃至第３いずれかの側面に係り、ツース本体は、外表面から突出する凸部を有する。
【００１３】
本発明の第４側面に係るツースによれば、凸部をアダプタの凹部に嵌合することによって、掘削ツースがアダプタに対して揺動することをより抑制できる。
【００１４】
本発明の第５側面に係る掘削具は、掘削具本体と、掘削ツースと、アダプタと、を備える。掘削ツースは、第１方向に延びるツース本体と、ツース本体の外表面に形成される第１孔と、第１孔の底面に形成される第２孔と、を有する。アダプタは、掘削具本体に固定される固定部と、第１孔に挿入される挿入部と、を有する。ツース本体は、第２孔を挟むように配置される一対の支持部を含む。一対の支持部は、挿入部の先端と対向する。
【００１５】
本発明の第５側面に係る掘削具によれば、第２孔において、アダプタと掘削ツースとの隙間から侵入した土砂を収容することによって、侵入した土砂によってアダプタや掘削ツースの当接面が摩耗することを抑制できる。また、第１孔の内壁だけでなく一対の支持部においてアダプタに支持され得るため、掘削ツースがアダプタに対して揺動することを抑制できる。
【００１６】
本発明の第６側面に係る掘削ツースは、第５側面に係り、掘削ツースは、第１方向と直交する第２方向に沿ってツース本体を貫通し、第１孔に繋がる一対の軸孔を有する。一対の軸孔の中心を通り第１方向及び第２方向に平行な断面において、第２方向における挿入部と一対の支持部との間隔は、第２方向における一対の軸孔の中心と一対の支持部との間隔の５％以下である。
【００１７】
本発明の第６側面に係る掘削具によれば、挿入部の先端と一対の支持部とを必要十分に近接させることができる。そのため、掘削ツースが傾いた場合に、アダプタでツースを適切に支持することができる。
【００１８】
本発明の第７側面に係る掘削ツースは、第５又は第６側面に係り、ツース本体は、外表面から突出する凸部を含む。固定部は、凸部が嵌合される凹部を含む。
【００１９】
本発明の第７側面に係る掘削具によれば、凸部をアダプタの凹部に嵌合することによって、掘削ツースがアダプタに対して揺動することをより抑制できる。
【発明の効果】
【００２０】
本発明によれば、摩耗や揺動を抑制可能な掘削ツース及び掘削具を提供することができる。
【図面の簡単な説明】
【００２１】
【図１】バケットの斜視図
【図２】バケットの斜視図
【図３】ツース取付け体の上面図
【図４】ツース取付け体の側面図
【図５】ツース取付け体の分解斜視図
【図６】掘削ツースの斜視図
【図７】図４のＡ−Ａ断面図（揺動時）
【図８】図４のＡ−Ａ断面図（通常時）
【図９】掘削ツースの構成を示す断面図
【発明を実施するための形態】
【００２２】
以下において、図面を参照しながら実施形態について説明する。以下の実施形態では、掘削具の一例として、油圧ショベルなどの作業機械に用いられるバケット１００について説明する。
【００２３】
（バケット１００の全体構成）
図１及び図２は、バケット１００の斜視図である。図１及び図２に示すように、バケット本体１０と、複数のツース取付け体１５と、を備える。
【００２４】
バケット本体１０は、第１側壁１１と、第２側壁１２と、ラッパー１３と、を有する。第１側壁１１と第２側壁１２は、互いに対向する。第１側壁１１及び第２側壁１２のそれぞれは、側面視において、略円弧と弦とで囲まれる形状を持つ平板である。ラッパー１３は、第１側壁１１と第２側壁１２の略円弧に沿って配置される曲板である。ラッパー１３と、第１側壁１１、第２側壁１２とは溶接により固着される。ラッパー１３は、下縁部１３ａ（すなわち、バケット先端部）を含む。第１側壁１１、第２側壁１２及びラッパー１３は、土砂を収容するための収容空間１０Ｖを形成する。
【００２５】
複数のツース取付け体１５それぞれは、アダプタ２０と、掘削ツース３０（以下、ツースと略す）と、取付け機構４０と、によって構成される。
【００２６】
複数のアダプタ２０は、ラッパー１３の下縁部１３ａに所定間隔で固定される。アダプタ２０は、下縁部１３ａに溶接されていてもよい。長時間の使用によって摩耗したアダプタ２０は、下縁部１３ａから取り外され、新品のアダプタ２０に交換される。本実施形態では、アダプタ２０のうちラッパー１３に固定される側をアダプタ２０の基端とし、基端の反対側をアダプタ２０の先端とする。
【００２７】
ツース３０は、アダプタ２０の先端に取り付けられる。ツース３０は、爪状の外形を有しており、先端に向かって徐々に薄くなるように形成されている。ツース３０の最先端は、掘削時に、切刃として働く。長時間の使用によって摩耗したツース３０は、アダプタ２０から取り外され、新品のツース３０に交換される。本実施形態では、ツース３０のうち切刃のある側をツース３０の先端とし、アダプタ２０に取り付けられる側をツース３０の基端とする。
【００２８】
取付け機構４０は、アダプタ２０にツース３０を取り付けるために用いられる。取付け機構４０は、アダプタ２０及びツース３０の内部に収容される。取付け機構４０を分解することによって、アダプタ２０から摩耗したツース３０を取り外すことができる。
【００２９】
（ツース取付け体１５の構成）
図３は、ツース取付け体１５の上面図である。図４は、ツース取付け体１５の側面図である。図５は、ツース取付け体１５の分解斜視図である。図６は、ツース３０の斜視図である。なお、以下の説明では、図３及び図４に示すように、ツース本体３１が延びる方向（すなわち、ツース３０の基端と先端を結ぶ方向）を“第１方向”と称し、ツース本体３１が平たく延びる方向を“第２方向”と称し、第１方向と第２方向に直交する方向を“第３方向”と称する。
【００３０】
図５に示すように、アダプタ２０は、固定部２１と、挿入部２２と、を有する。固定部２１は、アダプタ２０の基端側が二股に分かれることによって形成される。固定部２１は、バケット本体１０の下縁部１３ａを挟み込んでいる。固定部２１は、溶接などにより下縁部１３ａに固定される。
【００３１】
固定部２１は、図３〜図５に示すように、前面２１Ｓ1と、上面２１Ｓ2と、下面２１Ｓ3と、第１凹部２１Ｔ1と、第２凹部２１Ｔ2と、を有する。前面２１Ｓ1は、ツース３０がアダプタ２０に取り付けられた際にツース３０と対向する。上面２１Ｓ2は、前面２１Ｓ1に連なる。下面２１Ｓ3は、前面２１Ｓ1に連なり、上面２１Ｓ2の反対に設けられる。第１凹部２１Ｔ1は、前面２１Ｓ1及び上面２１Ｓ2に形成される。第１凹部２１Ｔ1は、前面２１Ｓ1及び上面２１Ｓ2に連なって開口する。第１凹部２１Ｔ1には、後述するツース３０の第１凸部３１Ｔ1が嵌合される。第２凹部２１Ｔ2は、前面２１Ｓ1及び下面２１Ｓ3に形成される。第２凹部２１Ｔ2は、前面２１Ｓ1及び下面２１Ｓ3に連なって開口する。第２凹部２１Ｔ2には、後述するツース３０の第２凸部３１Ｔ2が嵌合される。第１凹部２１Ｔ1に第１凸部３１Ｔ1が嵌合され、第２凹部２１Ｔ2に第２凸部３１Ｔ2が嵌合されることによって、第２方向におけるツース３０の揺動が抑制される。ただし、このような固定部２１には、第１凸部３１Ｔ1及び第２凸部３１Ｔ2を備えない従来周知のツースも取り付けることができる。
【００３２】
挿入部２２は、固定部２１の前面２１Ｓ1から突出する。挿入部２２は、後述するツース本体３０の挿入孔３２（図６参照）に挿入される。挿入部２２は、図３〜図５に示すように、第１側面２２Ｓ1と、第２側面２２Ｓ2と、上面２２Ｓ3と、下面２２Ｓ4と、先端面２２Ｓ5と、挿通孔２２ａと、を有する。第１側面２２Ｓ1と第２側面２２Ｓ2は、互いに反対側に設けられる。上面２２Ｓ3と下面２２Ｓ4は、互いに反対側に設けられる。先端面２２Ｓ5は、第１側面２２Ｓ1、第２側面２２Ｓ2、上面２２Ｓ3及び下面２２Ｓ4に連なる。本実施形態において、先端面２２Ｓ5は、上面２２Ｓ3から下面２２Ｓ4にかけて滑らかに湾曲しているが、これに限られるものではない。先端面２２Ｓ5は、例えば平面であってもよい。挿通孔２２ａは、挿入部２２を第１側面２２Ｓ1から第２側面２２Ｓ2まで貫通している。挿通孔２２ａには、後述する取付け機構４０のピン４１が挿通される。
【００３３】
図６は、ツース３０を基端側から視た図である。ツース３０は、図６に示すように、ツース本体３１と、挿入孔３２（第１孔の一例）と、サインポケット３３（第２孔の一例）と、第１延在孔３４と、第２延在孔３５と、第１軸孔３６と、第２軸孔３７と、を有する。
【００３４】
ツース本体３１は、図３及び図４に示すように、第２方向及び第３方向において先細り形状に形成されている。また、ツース本体３１は、図６に示すように、コップ型に形成されている。
【００３５】
ツース本体３１は、図６に示すように、第１内側面３１Ｓ1と、第２内側面３１Ｓ2と、内上面３１Ｓ3と、内下面３１Ｓ4と、背面３１Ｓ5（外表面の一例）と、第１凸部３１Ｔ1と、第２凸部３１Ｔ2と、第１支持部１０１と、第２支持部１０２と、を有する。第１内側面３１Ｓ1は、挿入部２２の第１側面２２Ｓ1と対向する。第１内側面３１Ｓ1と第１側面２２Ｓ1との間には、微少な間隙が設けられていてもよい。第２内側面３１Ｓ2は、挿入部２２の第２側面２２Ｓ2と対向する。第２内側面３１Ｓ2と第２側面２２Ｓ2との間には、微少な間隙が設けられていてもよい。内上面３１Ｓ3は、挿入部２２の上面２２Ｓ3に当接される。内下面３１Ｓ4は、挿入部２２の下面２２Ｓ4に当接される。背面３１Ｓ5は、固定部２１の前面２１Ｓ1と対向する。背面３１Ｓ5と前面２１Ｓ1との間には、間隙が設けられていてもよい。背面３１Ｓ5である基端面には、挿入孔３２が形成されている。
【００３６】
第１凸部３１Ｔ1は、背面３１Ｓ5から突出する。第１凸部３１Ｔ1は、固定部２１の第１凹部２１Ｔ1に挿入される。第１凸部３１Ｔ1と第１凹部２１Ｔ1との間には隙間を有する。第２凸部３１Ｔ2は、挿入孔３２を挟んで第１凸部３１Ｔ1の反対側において背面３１Ｓ5から突出する。第２凸部３１Ｔ2は、固定部２１の第２凹部２１Ｔ2に嵌合される。
【００３７】
第１支持部１０１と第２支持部１０２（一対の支持部の一例）は、挿入孔３２の最深部から突出している。第１支持部１０１と第２支持部１０２（一対の支持部の一例）は、サインポケット３３を挟んで配置される。換言すれば、第１支持部１０１と第２支持部１０２との間にサインポケット３３が形成されている。第１支持部１０１は、第１支持面１０１Ｓを有する。第１支持面１０１Ｓは、挿入孔３２の底面の一部を形成している。第１支持面１０１Ｓは、挿入部２２の先端面２２Ｓ5と対向する。第１支持面１０１Ｓと先端面２２Ｓ5との間には、微少な間隙が設けられている。第２支持部１０２は、第２支持面１０２Ｓを有する。第２支持面１０２Ｓは、挿入孔３２の底面の一部を形成している。第２支持面１０２Ｓは、挿入部２２の先端面２２Ｓ5と対向する。第２支持面１０２Ｓと先端面２２Ｓ5との間には、微少な間隙が設けられている。
【００３８】
ここで、図７は、図４のＡ−Ａ断面図である。ただし、図７では、ツース３０及びアダプタ２０は掘削作業に相当時間使用された状態のものであり、第２方向においてツース３０がアダプタ２０に対して揺動した状態が図示されている。すなわち、図７は、掘削作業への使用により、ツース３０及びアダプタ２０の嵌合部が摩耗し、ツース３０のアダプタ２０に対する搖動が大きくなった状態を示している。
【００３９】
図７に示すように、第１内側面３１Ｓ1の前端部と第１側面２２Ｓ1の前端部とが当接する。また、第２内側面３１Ｓ2の後端部と第２側面２２Ｓ2の後端部とが当接する。ツース３０及びアダプタ２０が掘削作業使用の履歴のない時点では、以上の２か所でツース３０とアダプタ２０とは当接する。掘削作業への使用に伴いツース３０とアダプタ２０の嵌合部の摩耗が進行してツース３０のガタつきがある程度大きくなると、さらに、第２支持面１０２Ｓと先端面２２Ｓ5とが当接する。このように、挿入部２２に対して傾いたツース３０は、アダプタ２０によって３点支持されている。特に、第２支持面１０２Ｓが先端面２２Ｓ5に当接しているため、アダプタ２０の両側と前方におけるツース３０の支持が実現されている。
【００４０】
なお、図示しないが、図７とは反対側にツース３０が傾いた場合には、第１内側面３１Ｓ1の後端部と第１側面２２Ｓ1の後端部とが当接し、第２内側面３１Ｓ2の前端部と第２側面２２Ｓ2の前端部とが当接し、第１支持面１０１Ｓと先端面２２Ｓ5とが当接する。これによって、図７に示す場合と同様に、ツース３０は、アダプタ２０によって３点支持される。
【００４１】
以上により、従来のツースと比較し、本実施形態のツース３０は掘削作業に伴ってツースのガタつきが大きくなることを抑制できる。ツースのガタつきは嵌合部の摩耗を促進させてツース及びアダプタの寿命を縮めるので、本実施形態のツース３０は、部品寿命が、従来のツースより長い。
【００４２】
挿入孔３２は、図６に示すように、ツース本体３１の背面３１Ｓ5に形成される。挿入孔３２は、アダプタ２０の挿入部２２を挿入するための孔である。挿入孔３２は、アダプタ２０の外形に対応した先細り形状に形成されている。挿入孔３２の底面は、第１支持面１０１Ｓ及び第２支持面１０２Ｓである。また、挿入孔３２の側面は、第１内側面３１Ｓ1、第２内側面３１Ｓ2、内上面３１Ｓ3及び内下面３１Ｓ4である。
【００４３】
サインポケット３３は、図６に示すように、挿入孔３２の底面に形成されている。すなわち、サインポケット３３は、挿入孔３２の奥に連なるように形成されている。サインポケット３３は、ツース本体３１の第１支持部１０１と第２支持部１０２の間に形成される。換言すれば、サインポケット３３は、第１支持部１０１と第２支持部１０２との間隙である。
【００４４】
ここで、サインポケット３３の機能について、図７を参照して説明する。
【００４５】
まず、サインポケット３３は、アダプタ２０とツース３０との隙間から侵入した土砂を収容する機能を有する。これによって、アダプタ２０とツース３０との間、具体的には、挿入部２２と第１支持部１０１及び第２支持部１０２との間に侵入した土砂が挟まれることを抑制できる。第１支持部１０１及び第２支持部１０２の間に土砂が挟まれると、両支持部およびその周辺の摩耗が促進されて、ツース３０のガタつきが大きくなる。ガタつきが大きくなると、摩耗は更に促進され、ツース３０及びアダプタ２０の寿命を短くする。サインポケット３３は、上述の通り、土砂の侵入を抑制するので、ツース３０及びアダプタ２０の嵌合部の摩耗を抑制できる。
【００４６】
また、図７の破線は、ツース３０が摩耗していく様子を仮想的に示す摩耗ラインである。図７に示すように、初期段階でツース３０の先端両側が摩耗により欠損された後、ツース３０の先端は全体的に同程度の速さで摩耗する。さらに摩耗が進行すると、サインポケット３３がツース３０の先端に露出する。オペレータは、ツース３０の先端にサインポケット３３が露出したこと、すなわち、ツース３０の先端に穴が開いたことを確認して、ツース３０の使用寿命が近づいたことを認識する。なお、サインポケット３３は、通常の使用環境において第１延在孔３４及び第２延在孔３５よりも先に露出するように設計されていることが好ましい。サインポケット３３と第１延在孔３４及び第２延在孔３５との位置関係については後述する。
【００４７】
第１延在孔３４及び第２延在孔３５（一対の延在孔の一例）は、挿入孔３２の一部である（図８参照）。第１延在孔３４及び第２延在孔３５は、第１支持部１０１及び第２支持部１０２の第２方向両側に形成される。具体的に、第１延在孔３４は、第１支持部１０１を挟んでサインポケット３３の反対側に形成される。第２延在孔３５は、第２支持部１０２を挟んでサインポケット３３の反対側に形成される。第１延在孔３４及び第２延在孔３５それぞれは、サインポケット３３よりも浅くかつ狭い。このような第１延在孔３４及び第２延在孔３５は、アダプタ２０の角部分（すなわち、アダプタ２０先端の第２方向における両端部分）が挿入孔３２の内壁に当たらないように設けられている。特に、ツース３０がアダプタ２０に対して傾いた場合においても、アダプタ２０の角部分がツース３０の内壁に当たらないことが好ましい（図７参照）。
【００４８】
第１軸孔３６及び第２軸孔３７（一対の延在孔の一例）それぞれは、図６及び図７に示すように、ツース本体３１を貫通する。第１軸孔３６及び第２軸孔３７それぞれは、挿入孔３２に繋がっている。第１軸孔３６及び第２軸孔３７は、第２方向に沿って一直線上に形成されている。図７では、第１軸孔３６及び第２軸孔３７の中心線ＡＸが一点鎖線で図示されている。図７に示すように、第１軸孔３６及び第２軸孔３７には、取付け機構４０の両端部が収容される。
【００４９】
取付け機構４０は、図５に示すように、ピン４１と、ボルト４２と、ワッシャ４３と、ブシュ４４と、を有する。ピン４１は、図７に示すように、挿入部２２の挿通孔２２ａに挿通される。本実施形態では、ピン４１の中心軸は、第１軸孔３６及び第２軸孔３７の中心線ＡＸと略一致している。ボルト４２は、ワッシャ４３及びブシュ４４を介して、ピン４１の一端部に固定される。ワッシャ４３及びブシュ４４は、第１軸孔３６の内側に収容される。
【００５０】
（アダプタ２０とツース３０の位置関係）
次に、アダプタ２０とツース３０の位置関係について、図面を参照しながら説明する。図８は、図４のＡ−Ａ断面図である。ただし、図８では、図７と異なり、第２方向においてツース３０がアダプタ２０に対して揺動していない状態が図示されている。
【００５１】
図８では、第１支持部１０１と第２支持部１０２の中心線ＡＸ上の中央位置が“基準点Ｐ”として図示されている。すなわち、基準点Ｐは、中心線ＡＸ上におけるツース本体３１の第２方向中心である。
【００５２】
図８に示すように、基準点Ｐとサインポケット３３の最深部との間隔ｍ１は、基準点Ｐと第２延在孔３５の最深部との間隔ｍ２よりも大きい。図示しないが、基準点Ｐと第１延在孔３４の最深部との間隔は、基準点Ｐと第２延在孔３５の最深部との間隔ｍ２と同程度である。第１延在孔３４又は第２延在孔３５の最深部は、挿入孔３２の最深部の一例である。間隔ｍ１は、間隔ｍ２の1.05倍以上であることが好ましく、1.10倍以上であることがより好ましい。
【００５３】
また、図８に示すように、挿入部２２の先端と第１支持部１０１及び第２支持部１０２との微少な間隔ｎ１は、中心線ＡＸと第１支持部１０１及び第２支持部１０２との間隔ｎ２の５％以下であることが好ましく、２％以下であることがより好ましい。
【００５４】
（作用及び効果）
（１）本実施形態に係るツース本体３１は、第１支持部１０１及び第２支持部１０２（一対の支持部の一例）を有する。第１支持部１０１及び第２支持部１０２は、サインポケット３３（第２孔の一例）を挟むように配置される。第１支持部１０１及び第２支持部１０２は、挿入孔３２（第１孔の一例）の底面を形成する。
【００５５】
以上により、第１支持部１０１あるいは第２支持部１０２をアダプタ２０に当接させられるので、ツース３０のアダプタ２０に対する搖動、いわゆるガタつきを抑制できる。また、サインポケット３３において、アダプタ２０とツース３０との隙間から侵入した土砂を収容することによって、侵入した土砂によってアダプタ２０やツース３０が摩耗することを抑制できる。また、挿入孔３２の内壁だけでなく第１支持部１０１や第２支持部１０２においてアダプタ２０に支持されるため、ツース３０がアダプタ２０に対して揺動することを抑制できる。
【００５６】
（２）基準点Ｐとサインポケット３３の最深部との間隔ｍ１は、基準点Ｐと挿入孔３２の最深部との間隔ｍ２よりも大きい。
【００５７】
従って、ツース本体３１の摩耗が進行した場合に、サインポケット３３を挿入孔３２よりも先に露出させることができる。そのため、挿入部２２が摩耗されるまでに余裕を持って、ツース３０の交換時期を早期にオペレータに認識させることができる。
【００５８】
（３）挿入孔３２は、第１支持部１０１及び第２支持部１０２の両側に形成される第１延在孔３４及び第２延在孔３５（一対の延在孔の一例）を有する。
【００５９】
従って、アダプタ２０の角部分が挿入孔３２の内壁に当たることを抑制できるので、アダプタ２０及びツース３０が当接して損傷することを抑制できる。
【００６０】
（４）ツース本体３１は、背面３１Ｓ5（外表面の一例）から突出する第１凸部３１Ｔ1を有する。
【００６１】
従って、第１凸部３１Ｔ1を固定部２１の第１凹部２１Ｔ1に嵌合することによって、ツース３０がアダプタ２０に対して揺動することをより抑制できる。この効果は、第２凸部３１Ｔ2によっても得ることができる。
【００６２】
（５）挿入部２２の先端と第１支持部１０１及び第２支持部１０２との間隔ｎ１は、中心線ＡＸと第１支持部１０１及び第２支持部１０２との間隔ｎ２の５％以下である。
【００６３】
従って、挿入部２２の先端と第１支持部１０１及び第２支持部１０２とを必要十分に近接させることができる。そのため、ツース３０が傾いた場合に、アダプタ２０でツース３０を適切に支持することができる。
【００６４】
（他の実施形態）
本発明は以上のような実施形態に限定されるものではなく、本発明の範囲を逸脱することなく種々の変形又は修正が可能である。
【００６５】
例えば、上記実施形態では、掘削具の一例としてバケット１００について説明したが、これに限られるものではない。掘削具としては、ブルドーザなどに取り付けられるリッパなどが挙げられる。
【００６６】
また、上記実施形態では、ツース３０の挿入孔３２は、第１延在孔３４及び第２延在孔３５を有することとしたが、これに限られるものではない。図９に示すように、挿入孔３２は、第１延在孔３４及び第２延在孔３５を有していなくてもよい。この場合、第１支持部１０１と第１内側面３１Ｓ1との角、及び第２支持部１０２と第２内側面３１Ｓ2との角が、挿入孔３２の最深部となる。
【００６７】
また、上記実施形態では、ツース本体３１は、第１凸部３１Ｔ1及び第２凸部３１Ｔ2を有することとしたが、これに限られるものではない。ツース本体３１は、第１凸部３１Ｔ1及び第２凸部３１Ｔ2を有していなくてもよく、第１凸部３１Ｔ1及び第２凸部３１Ｔ2の一方だけを有していてもよい。
【符号の説明】
【００６８】
１０  バケット本体
１１  第１側壁
１２  第２側壁
１３  ラッパー
１５  ツース取付け体
２０  アダプタ
２１  固定部
２１Ｔ1，２１Ｔ2  凹部
２２  挿入部
３０  掘削ツース
３１  ツース本体
３１Ｔ１、３１Ｔ２  凸部
３２  挿入孔（第１孔）
３３  サインポケット（第２孔）
３４，３５  延在孔
３６，３７  軸孔
４０  取付け機構
１００  バケット（掘削具）
１０１  第１の支持部（一対の支持部の一つ）
１０２  第２の支持部（一対の支持部の一つ）
Ｐ      基準点
【図１】
2014118760.tif 000003
【図２】
2014118760.tif 000004
【図３】
2014118760.tif 000005
【図４】
2014118760.tif 000006
【図５】
2014118760.tif 000007
【図６】
2014118760.tif 000008
【図７】
2014118760.tif 000009
【図８】
2014118760.tif 000010
【図９】
2014118760.tif 000011